(57)【特許請求の範囲】
【請求項１】
傾斜樋の球排出口の上方に、下方から上方へと遊技球が逆流した時に遊技球の傾斜樋内への侵入を阻止する逆流防止ストッパーを設けた遊技球分配補給器において、
前記逆流防止ストッパーは、球排出口の上方側端部に遊技球が流下可能な隙間を残して球排出口に臨んでおり、その裏側に傾斜樋の下流側から上流側にかけて水平より斜めに低く下向きに傾斜させた球当接面が形成されたものであって、
前記球当接面は、逆流を阻止された遊技球の中心点が、この遊技球に隣接する後続遊技球の中心点の下方に位置するように設けられていることを特徴とする遊技球分配補給器。
【請求項２】
逆流防止ストッパーが、傾斜樋を転動して流下する遊技球を整列させる球整列部材と一体に形成されている請求項１に記載の遊技球分配補給器。」
【発明の詳細な説明】
【０００１】
【発明の属する技術分野】
本発明は、遊技球の逆流を阻止して複数台の遊技機に滞りなく遊技球を分配して補給するための遊技球分配補給器に関するものである。
【０００２】
【従来の技術】
パチンコ機島には、図５に示すような複数台の遊技機へ遊技球を分配して補給するための遊技球分配補給器が設置されている。そして、回収されて一列複数段の状態で傾斜樋１内を流下する遊技球は揺動自在に傾斜樋１の側面に軸着された球崩し２や、傾斜樋側端部に備えられた球整列部材３により整列されて、一列一段の状態で傾斜樋底面４上を転動し、その後傾斜樋１の球排出口５に接続された蛇腹管６を流下して各遊技盤毎に付設された球補給タンク（図示していない）へ送出されるように構成されている。このような構成の遊技球分配補給器において、蛇腹管６は伸縮自在なものであるために、遊技球の流下中はその下方への流下圧により蛇腹管６が伸びた状態となる。そして、遊技球が十分補給されて遊技球の送出が停止されると伸びた状態になっている蛇腹管６には、元の形状に戻ろうとする上方への反発力が作用して反射的に縮み、蛇腹管６内に残った遊技球が一瞬逆流するという現象が発生する。
【０００３】
この瞬間的な遊技球の逆流の結果、図６に示すように、遊技球分配補給器内で遊技球が後続遊技球の上に乗ったりするブリッジが形成されて、遊技球が傾斜樋１内に詰まってしまうという不具合が頻発していた。一旦形成されたブリッジは自然に解消されるものではなく、次の遊技球の補給を正常に行うことができない。従って、ブリッジ形成により球詰まりが発生した場合には従業員がこの不具合を解消する作業を行わねばならず、この作業は面倒な作業であって多大な工数を必要としていた。
【０００４】
【発明が解決しようとする課題】
本発明は上記した従来の問題点を解決し、遊技球の送出が停止されて蛇腹管が反発的に縮んだ時にも、遊技球の逆流が阻止されてブリッジの形成による球詰まりを発生させることのない遊技球分配補給器を提供するためになされたものである。
【０００５】
【課題を解決するための手段】
上記の課題を解決するためになされた本発明の遊技球分配補給器は、傾斜樋の球排出口の上方に、下方から上方へと遊技球が逆流した時に遊技球の傾斜樋内への侵入を阻止する逆流防止ストッパーを設けた遊技球分配補給器において、
前記逆流防止ストッパーは、球排出口の上方側端部に遊技球が流下可能な隙間を残して球排出口に臨んでおり、その裏側に傾斜樋の下流側から上流側にかけて水平より斜めに低く下向きに傾斜させた球当接面が形成されたものであって、
前記球当接面は、逆流を阻止された遊技球の中心点が、この遊技球に隣接する後続遊技球の中心点の下方に位置するように設けられていることを特徴とするものである。
なお、逆流防止ストッパーを、傾斜樋を転動して流下する遊技球を整列させる球整列部材と一体に形成することができる。
【０００６】
本発明の遊技球分配補給器は、球排出口の上方部に逆流防止ストッパーを設けたことにより、遊技球の送出時に伸びていた蛇腹管がその送出停止により反射的に縮んだ時にも、遊技球の逆流が阻止されて傾斜樋内へ侵入することがないので、遊技球のブリッジ形成による球詰まりを発生させることがない。
【０００７】
【発明の実施の形態】
以下に図面を参照しつつ本発明の好ましい実施形態を示す。図１〜３は本発明の遊技球分配補給器を示す図であって、この遊技球分配補給器は一端から他端へ（図では左から右へ）低く傾斜した傾斜樋底面７と、これに連通して傾斜樋底面７と逆方向に低く傾斜した傾斜樋底面４とが備えられている。さらに、傾斜樋底面４の一端には球排出口５が設けられている。また、傾斜樋１の側面には金属球や金属円柱などが重錘として取り付けられた球崩し２が揺動自在に軸着されているうえに、球排出口５の上方側端部には球整列部材３が係止部８に挿着されて固定されている。そして、球排出口５の上方側端部には、球整列部材３と一体に形成された逆流防止ストッパー９が遊技球が流下可能な隙間を残して球排出口５に臨んで設けられている。なお、この実施形態においては逆流防止ストッパー９を球整列部材３の下部に球整列部材３と一体に設けてあるが、逆流防止ストッパー９と球整列部材３を別体として所要位置に配置しても何ら差し支えはない。そして、図１に見られるように、流入して一列複数段の状態で傾斜樋１内を転動して流下する遊技球は、球崩し２や球整列部材３により整列されて、一列一段の状態で傾斜樋底面４上を転動し、その後遊技球分配補給器の球排出口５に接続された蛇腹管６を流下して各遊技盤毎に付設された球補給タンクへ送出される。この遊技球の送出中の状態は図６に示した従来のものと特に変わるところはない。
【０００８】
ところが、遊技球の補給が停止されて伸びていた蛇腹管６が反発力により瞬間的に縮んだ時に遊技球が下方から上方へ逆流しようとしても、図４に示すように、逆流防止ストッパー９がその直下にいた遊技球の上昇を押し止めるので、遊技球はそれ以上逆流することはできない。ここで、逆流防止ストッパー９には、その裏側に傾斜樋１の下流側から上流側にかけて水平より斜めに低く下向きに傾斜させた球当接面１０が形成されていて、遊技球の逆流を阻止し易いものとしている。さらに、逆流防止ストッパー９の球当接面１０は、この球当接面１０に当接した遊技球の中心点Ｐが、この遊技球に隣接する後続遊技球の中心点Ｑの下方に位置するように設けてある。逆流防止ストッパー９を以上のような構成のものとしたことにより、先行遊技球が逆流により後続遊技球より上方に位置したり、その上に乗ったりすることがないので、ブリッジを形成することはない。従って、逆流した遊技球が傾斜樋１内に侵入して球詰まりを発生させることがない。
【０００９】
【発明の効果】
以上に説明したように、本発明の遊技球分配補給器は、球排出口の上方部に逆流防止ストッパーを設けたことにより、遊技球の送出時に伸びていた蛇腹管がその送出停止により反射的に縮んだ時にも、遊技球の逆流が阻止されて傾斜樋内へ侵入することがないので、遊技球のブリッジ形成による球詰まりを発生させることがない。この逆流防止ストッパーを、遊技球が流下可能な隙間を残して球排出口に臨ませたうえに、その裏側に傾斜樋の下流側から上流側にかけて水平より斜めに低く下向きに傾斜させた球当接面を形成したので、遊技球の逆流を容易に阻止することができる。また、逆流を阻止された遊技球の中心点が、この遊技球に隣接する後続遊技球の中心点の下方に位置するように、逆流防止ストッパーを設けたので、先の遊技球が逆流により後続遊技球より上方に位置したり、その上に乗ったりすることがないので、ブリッジを形成することはない。さらに、逆流防止ストッパーは構造が単純であるうえに、遊技球を整列させる球整列部材と一体に形成することができるので、コストの上昇や部品点数の増大を招くことがない。従って、本発明は常に遊技球を正常に送出することができて球詰まり解消作業の必要のない遊技球分配補給器として、業界にもたらす益大なものである。
【図面の簡単な説明】
【図１】  本発明の遊技球分配補給器の正面の断面図である。
【図２】  本発明の遊技球分配補給器の平面図である。
【図３】  本発明の遊技球分配補給器の側面図である。
【図４】  本発明の遊技球分配補給器において逆流が阻止された状態を示す断面図である。
【図５】  従来の遊技球分配補給器内を遊技球が流下する状態を示す断面図である。
【図６】  従来の遊技球分配補給器において遊技球がブリッジを形成した状態を示す断面図である。
【符号の説明】
１  傾斜樋
２  球崩し
３  球整列部材
４  傾斜樋底面
５  球排出口
６  蛇腹管
７  傾斜樋底面
８  係止部
９  逆流防止ストッパー
１０  球当接面
【図１】
0003838543.tif 000002
【図２】
0003838543.tif 000003
【図３】
0003838543.tif 000004
【図４】
0003838543.tif 000005
【図５】
0003838543.tif 000006
【図６】
0003838543.tif 000007